(57)【要約】【課題】書棚などに収容した場合であっても、収容した書類の中身を把握しやすい収納具を提供する。【解決手段】表表紙及び裏表紙が背表紙を介して繋がった表紙と、蛇腹状の襠部を備えた収容部と、を有する収納具において、前記収容部は、蛇腹状に形成された第１の襠部と、前記第１の襠部と平行な向きに配置されて前記背表紙に対向するとともに蛇腹状に形成された第２の側面襠部と、前記第１の襠部と第２の襠部との間の底面を覆い蛇腹状に形成された底面襠部と、前記第１の襠部と第２の襠部とに接合されて収容部内を複数の区画に仕切る仕切シートと、前記第１の襠部、第２の襠部及び底面襠部に覆われていない上端部に形成された開口部とを設けた。【選択図】図３
2018094719.tif 000002
【特許請求の範囲】
【請求項１】
表表紙及び裏表紙が背表紙を介して繋がった表紙と、蛇腹状の襠部を備えた収容部と、を有する収納具であって、前記収容部は、
蛇腹状に形成された第１の襠部と、
前記第１の襠部と平行な向きに配置されて前記背表紙に対向するとともに蛇腹状に形成された第２の側面襠部と、
前記第１の襠部と第２の襠部との間の底面を覆い蛇腹状に形成された底面襠部と、
前記第１の襠部と第２の襠部とに接合されて収容部内を複数の区画に仕切る仕切シートと、
を備えていることを特徴とする収納具。
【請求項２】
前記収容部は、前記表表紙及び裏表紙の開閉動作に応じて蛇腹状の前記第１の襠部及び底面襠部が変形することにより伸縮することを特徴とする請求項１に記載の収納具。
【請求項３】
前記背表紙には背見出しが設けられていることを特徴とする請求項１又は請求項２に記載の収納具。
【請求項４】
前記第１の襠部、第２の襠部及び底面襠部が前記表表紙及び裏表紙の内側の面に接合されていることを特徴とする請求項１乃至請求項３の何れか１項に記載の収納具。
【請求項５】
前記底面襠部の蛇腹状の凹凸は、前記仕切シートを介して前記第１の襠部及び第２の襠部の蛇腹状の凹凸と連結されていることを特徴とする請求項４に記載の収納具。
【発明の詳細な説明】
【技術分野】
【０００１】
本発明は、蛇腹状の襠部を有し複数の区画に分かれた収容部を有する収納具に関する。
【背景技術】
【０００２】
従来より、蛇腹状の襠部を有し、複数の仕切りシートで複数の区画に分かれた収容部を設けた収納具がある。このような収納具としては、例えば蛇腹式のドキュメントファイルが知られている。
【０００３】
従来の蛇腹式のドキュメントファイルは、表紙を閉じることで収容物をコンパクトに持ち運ぶことができ、主に書類などを持ち運ぶ用途で使用されている。
【先行技術文献】
【特許文献】
【０００４】
【特許文献１】実用新案登録第３１８９４３２号
【特許文献２】特開２０１４−１３３３０６号公報
【特許文献３】特開平１１−１０５４８２号公報
【発明の概要】
【発明が解決しようとする課題】
【０００５】
しかし、従来のドキュメントファイルは自立しにくい構造となっており、自立させた状態での書類の閲覧や書類の出し入れが行いにくいという問題がある。
【０００６】
また、棚や机の上に自立させて収納した際に、収容物の内容を知る手がかりとなる見出しなどがつけにくい構造となっているため、ドキュメントファイルの中身がわかりにくいという問題がある。
【０００７】
そこで、本発明は、自立することが可能であり、収容している内容物を簡単に把握できる収納具を提供することを目的とする。
【課題を解決するための手段】
【０００８】
一観点によれば、表表紙及び裏表紙が背表紙を介して繋がった表紙と、蛇腹状の襠部を備えた収容部と、を有する収納具であって、前記収容部は、蛇腹状に形成された第１の襠部と、前記第１の襠部と平行な向きに配置されて前記背表紙に対向するとともに蛇腹状に形成された第２の側面襠部と、前記第１の襠部と第２の襠部との間の底面を覆い蛇腹状に形成された底面襠部と、前記第１の襠部と第２の襠部とに接合されて収容部内を複数の区画に仕切る仕切シートと、を備えていることを特徴とする収納具が提供される。
【発明の効果】
【０００９】
上記観点の収納具によれば、一方の蛇腹状の第２の側面襠部を背表紙に対向させることにより、収容部の開口部が背表紙の反対側ではなく、開口部が表表紙、裏表紙の上側に配置されることとなる。
【００１０】
これにより、表表紙、背表紙及び裏表紙の底辺で収容部を支えることにより、収納具が自立した状態に保たれ、立てた状態での書類の出し入れや閲覧を行いやすくなる。
【００１１】
また、第２の襠部が背表紙の幅に保たれるので、収容部のスペースが広がった状態に保つことが可能となり、書類等の被収容物をより多く収容できる。
【００１２】
さらに、自立した状態では、背表紙を使用者の側に向けておくことができるため、背見出しを手掛かりにして収納具に収容した書類の内容を容易に把握できる。
【図面の簡単な説明】
【００１３】
【図１】図１は、実施形態に係る収納具の斜視図である。
【図２】図２は、図１の収納具を開いた状態で示す斜視図である。
【図３】図３は、図１の収納具の背表紙を示す斜視図である。
【図４】図４は、図１の収納具の収容部を分解した状態で示す斜視図である。
【図５】図５は、図１の収納具の組み立て方法を示す斜視図である。
【発明を実施するための形態】
【００１４】
（第１実施形態）
図１〜図３は、本実施形態に係る収納具の斜視図である。
【００１５】
図１に示すように、本実施形態の収納具１０は、厚手の樹脂シートよりなる表紙１１を備えており、その表紙１１により蛇腹状の収容部１２の表面、裏面及び背面の３面を覆っている。
【００１６】
表紙１１の表表紙１１ｂは収容部１２の表面を覆い、裏表紙１１ｃは収容部１２の裏面を覆い、背表紙１１ａは収容部の背面を覆う。収容部１２は、表表紙１１ｂ及び裏表紙１１ｃの内側の面に溶着などの方法で接合されている。
【００１７】
収容部１２は、正面を構成する蛇腹状の第１の襠部１２ｂと背面を構成する第２の襠部１２ｃと底面を構成する蛇腹状の底面襠部１２ｅ（図４参照）を備えており、上部に開口部を備えている。さらに収容部１２内のスペースは、第１の襠部１２ｂと第２の襠部１２ｃとの間に架け渡された仕切シート１２ａにより複数の区画に分かけられている。これらの仕切シート１２ａは、第１の襠部１２ｂ、第２の襠部１２ｃ及び底面襠部１２ｅに接合されている。
【００１８】
この仕切シート１２ａにより、収容部１２が複数の区画に分けられ、それぞれの区画には、上部の開口部から被収容物を出し入れできるようになっている。
【００１９】
本実施形態の収納具１０では、第２の襠部１２ｃを背表紙１１ａに対向するように配置し、第１の襠部１２ｂを正面側に配置している。
【００２０】
これにより、図示のように背表紙１１ａを立てた状態で置いたときに、収容部１２の開口部が上部に現れることとなる。その際に、背表紙１１ａ、表表紙１１ｂ及び裏表紙１１ｃの底辺がコの字状になって自立した状態で収容部１２を支持し、立てた状態で安定する。
【００２１】
また、第２の襠部１２ｃがあらかじめ背表紙１１ａの幅に広げられているため、表表紙１１ｂ及び裏表紙１１ｃを閉じた状態でも、収容部１２のスペースがある程度確保される。
【００２２】
これにより、収容部１２の収容量をより多くすることができ、また自立した状態での書類の出し入れも容易に行うことができる。
【００２３】
また、図２に示すように、表表紙１１ｂの先端と裏表紙１１ｃの先端とを広げると、第１の襠部１２ｂが伸びて収納具１０が開いた状態となる。これにともなって、仕切シート１２ａの間隔が、正面側において広がり、収容部１２の各区画のスペースが広がる。この状態では、書類などの収容部１２への出し入れが更に容易になる。
【００２４】
さらに、収納具１０は、図３に示すように、表表紙１１ｂ及び裏表紙１１ｃを閉じた状態で被収容物を収容し、書類ラックや書棚などに、背表紙１１ａ側を使用者側に向けて納めることができる。また、背表紙１１ａには、被収容物を識別するための背見出し１１ｄが設けられている。
【００２５】
従来の蛇腹式の収納具では、書類ラックや書棚などに収容する場合には、蛇腹状の襠部が使用者側に現れることになる。蛇腹状の襠部は、書類の出し入れの際に伸縮する部分であるため見出しなどを取り付けることができず、従来の収納具では収容した書類の中身を確認することができない。
【００２６】
これに対し、本実施形態の収納具１０では、書類ラックや書棚などに収めた場合に、伸縮しない背表紙１１ａが使用者側に向くように配置できるため、図示のように、背表紙１１ａの背見出１１ｄの内容を把握することができ、被収容物を容易に探すことができる。
【００２７】
以下、収納具１０の製造方法について説明する。
【００２８】
図４は、図１の収納具１０の収容部１２を分解した状態で示す斜視図である。図５は、図１の収納具１０の組み立て方法を示す斜視図である。
【００２９】
図４に示すように、収納部１２は、襠部１２ｂ、１２ｃ、仕切シート１２ａ及び底面襠部１２ｅを組み合わせて作製される。
【００３０】
第１の襠部１２ｂは、例えばポリプロピレン樹脂などよりなる樹脂シートをトムソン加工により、折目１２１をつけて蛇腹状に形成する。また、襠部１２ｂの側端部には帯状の取付部１２１ａを設ける。この取付部１２１ａは、第１の襠部１２ｂを表表紙１１ｂ及び裏表紙１１ｃに溶着する際に用いられる。
【００３１】
同様に第２の襠部１２ｃについても折目１２２をつけて蛇腹状に形成し、同時に取付部１２２ａも形成する。
【００３２】
また、収容部１２の底部に取り付ける底面襠部１２ｅを用意する。底面シート１２ｅは、所定サイズの樹脂シートを、トムソン加工により折目１２３をつけて蛇腹状に形成する。また底面襠部１２ｅの縁には、表表紙１１ｂ及び裏表紙１１ｃに取り付けるための取付部１２３ａを設ける。
【００３３】
次に、仕切シート１２ａを用意する。なお、図４の例では１枚のみを示しているが、仕切りシート１２ａは複数枚用意する。
【００３４】
仕切シート１２ａの両側辺には、襠部１２ｂ、１２ｃ、１２ｅに取り付けるための溶着部１２４ａが形成されている。この溶着部１２ａを襠部１２ｂ、１２ｃ、１２ｅに溶着する。
【００３５】
これにより、仕切シート１２ａで複数の区画に仕切られた収容部１２が完成する。
【００３６】
次に、図５に示すように、背表紙１１ａ、表表紙１１ｂ及び裏表紙１１ｃが一体的に形成された表紙１１に、図４の工程で組み上げた収容部１２を接合する。
【００３７】
図示のように、第１の襠部１２ｂから延び出た取付部１２１ａを表表紙１１ｂ及び裏表紙１１ｃの内側面に設けられた接合部１１１ｃに位置決めして溶着する。同様に、第２の襠部１２ｃの取付部１２２ａを表表紙１１ｂ及び裏表紙１１ｃの内側面の接合部１１１ｂに接合する。
【００３８】
また、底面襠部１２ｅの２つの取付部１２３ａをそれぞれ表表紙１１ｂ及び裏表紙１１ｃの内側面の接合部１１１ｄに位置決めして溶着する。
【００３９】
以上の工程により、本実施形態のファイル１０が完成する。
【００４０】
なお、ファイル１０の製造方法は上記の例に限定されるものではない。
【００４１】
例えば、ファイル１０の表紙のうち、裏表紙１１ｃと背表紙１１ａとを別体のシートとして構成しておき、それらの接合部の間に襠部１２ｃの取付部１２１ｃを挟み込むようにして溶着して接合することで、溶着工程の効率化を図ってもよい。
【符号の説明】
【００４２】
１０…収納具、１１…表紙、１１ａ…背表紙、１１ｂ…表表紙、１１ｃ…裏表紙、１１ｄ…背見出し、１２…収容部、１２ａ…仕切シート、１２ｂ、１２ｃ、１２ｅ…襠部、１１１ｂ、１１１ｃ、１１１ｅ…接合部、１２１、１２２、１２３…折目、１２１ａ、１２２ａ、１２３ａ…取付部。
【図１】
2018094719.tif 000003
【図２】
2018094719.tif 000004
【図３】
2018094719.tif 000005
【図４】
2018094719.tif 000006
【図５】
2018094719.tif 000007